(57)【要約】【課題】側面衝突時に、側面衝突の衝撃による乗員の横方向への移動を抑制するようにしたセンターエアバッグ装置を提供する。【解決手段】横に並んで配置された二つのシートの間の領域付近にて車室天井内に格納されており、衝突時にこれらの並んだシートに着座している乗員Ｐ１，Ｐ２の間の領域に展開するエアバッグ袋体１１を備えるように、センターエアバッグ装置１０を構成する。側突の衝撃によって、乗員に対して側方内側に荷重が加えられたとき、乗員が内側に向かって、即ち隣の乗員に向かって、そして反対側の車室内壁に向かって跳ばされようとしても、乗員間に展開しているエアバッグ袋体によりその移動が抑制される。【選択図】図１
2008114713.tif 000002
【特許請求の範囲】
【請求項１】
横に並んで配置された二つのシートの間の領域付近に格納されており、衝突時に上記シートに着座している乗員の間の領域に展開するエアバッグ袋体を備えたことを特徴とする、センターエアバッグ装置。
【請求項２】
横に並んで着座した複数の乗員の間の領域付近にそれぞれ格納されており、衝突時に各乗員の間の領域に展開するエアバッグ袋体を備えたことを特徴とする、センターエアバッグ装置。
【請求項３】
前記エアバッグ袋体が、車室天井内に格納されていることを特徴とする、請求項１又は２に記載のセンターエアバッグ装置。
【請求項４】
前記エアバッグ袋体が、前記シートの間に設けられたコンソール内に格納されていることを特徴とする、請求項１に記載のセンターエアバッグ装置。
【請求項５】
前記エアバッグ袋体が、前記シートの少なくとも一方の内部に格納されていることを特徴とする、請求項１に記載のセンターエアバッグ装置。
【請求項６】
前記エアバッグ袋体が、展開時に、左右両側の乗員の肩，腰及び膝の間の領域に展開するように形成されていることを特徴とする、請求項１，４〜５の何れかに記載のセンターエアバッグ装置。
【請求項７】
前記エアバッグ袋体が、展開時に、前後に並んだ複数列のシートに着座している乗員の間の領域に展開するように形成されていることを特徴とする、請求項１，４〜６の何れかに記載のセンターエアバッグ装置。
【発明の詳細な説明】
【技術分野】
【０００１】
本発明は、自動車の乗員を保護するためのエアバッグ装置に係り、特に側面衝突時に乗員の側方への移動を規制するセンターエアバッグ装置に関するものである。
【背景技術】
【０００２】
自動車の前面衝突時の乗員に対する衝撃を緩和するための保護装置として、エアバッグ装置が広く普及している。従来のエアバッグ装置は、ステアリング装置内，インストルメントパネル内に取り付けられ、自動車の前面衝突時に、運転席，助手席の前側にエアバッグを展開することで、運転席，助手席に座っている乗員の前方への移動を抑制する。これにより、自動車の前面衝突時における運転席，助手席の乗員が有効に保護される。
【０００３】
近年では、自動車の側面衝突時における乗員保護も重要視されており、所謂、サイドエアバッグ装置やカーテンシールドエアバッグ装置が車両に搭載されている。具体的には、例えば図７に示すように、自動車１において、助手席側では、カーテンシールドエアバッグ装置２は、フロントドア１ａの上部のガラスの内側付近に展開するように構成されており、またサイドエアバッグ装置３は、フロントドア１ａの下部の内側付近に展開するように構成されている。図７では、カーテンシールドエアバッグ装置２及びサイドエアバッグ装置３は、助手席側のみ図示されているが、実際には、運転席側にも設置されている。
【０００４】
図７に矢印Ｘで示すように、他車４が側方から衝突してきたとき、カーテンシールドエアバッグ装置２及びサイドエアバッグ装置３がそれぞれフロントドア１ａの内側付近、即ち助手席の外側領域に展開して、助手席の乗員の身体が直接にフロントドア１ａに接触しないように保護される。
【０００５】
これに対して、特許文献１には、車室天井内に取り付けられていて、自動車の前面衝突時に下方に向かって乗員の前側に展開するようにしたエアバッグ装置が開示されている。特許文献２には、運転席と助手席との間のコンソール内に取り付けられていて、自動車の側面衝突時等に、運転席のシートバックと助手席のシートバックとの間に展開するようにしたエアバッグ装置が開示されている。
【０００６】
特許文献３には、例えば助手席側にて、インストルメントパネル内に取り付けられていて、自動車の前面衝突時に、エアバッグ袋体が助手席の乗員の前側に展開すると共に、天井付近に設けられたパネル部材が、下方に回動して、車室内側に展開したエアバッグ袋体の一部の天井付近における後方への移動を規制するようにした、エアバッグ装置が開示されている。
【０００７】
特許文献４には、例えば助手席側にて、インストルメントパネル内に取り付けられていて、自動車の前面衝突時に、左右に分割されたメインエアバッグ袋体が助手席の乗員の前側に展開すると共に、助手席の天井付近に設けられた天井エアバッグ袋体が、下方に向かって展開して、車室内側に展開したメインエアバッグ袋体の分割された左右部分の間の空間部に係合し、メインエアバッグの横方向のずれを規制してメインエアバッグが予期しない方向に展開しないようにした、エアバッグ装置が開示されている。
【特許文献１】特開２０００−１８５６１８号公報
【特許文献２】特開２００４−２１７１０９号公報
【特許文献３】特開２００５−０６７２７２号公報
【特許文献４】特開２００５−１４５２２５号公報
【発明の開示】
【発明が解決しようとする課題】
【０００８】
しかしながら、図７に示したカーテンシールドエアバッグ装置２及びサイドエアバッグ装置３においては、側面衝突時に、側面衝突された側とは反対側の乗員、図示の場合、運転席側の乗員が側面衝突の衝撃によって矢印Ａで示すように衝突側に向かって跳んでしまい、カーテンシールドエアバッグ装置２とサイドエアバッグ装置３との間に露出する内装部品や助手席の乗員と衝突してしまう虞がある。
【０００９】
さらに、側面衝突時に、図８に示すように、側面衝突された側の乗員、図示の場合、助手席側の乗員が側面衝突の衝撃によって矢印Ｂで示すように側面衝突された側とは反対側に向かって跳んでしまい、運転席側の乗員と衝突してしまう虞もある。
【００１０】
これに対して、特許文献１によるエアバッグ装置においては、前面衝突時に、後席の乗員を保護するように天井から乗員の前側にエアバッグが展開するが、側面衝突時の乗員を保護するようには構成されていない。
【００１１】
また、特許文献２によるエアバッグ装置においては、側面衝突時等に、運転席と助手席のシートバックの間に展開することにより側面衝突の衝撃による運転席または助手席にかかる荷重を、シートバックを介して助手席または運転席のシートバックに伝達しつつ分散して、運転席または助手席が側面衝突された側と反対側に倒れることを抑制する。従って、特許文献２のエアバッグ装置は、側面衝突時等において隣接する乗員保護を目的とするものではない。
【００１２】
さらに、特許文献３及び特許文献４によるエアバッグ装置においても、前面衝突時における乗員を保護することを目的としており、側面衝突時に乗員を保護するようには構成されていない。
【００１３】
本発明は、以上の点に鑑みて創作されたものであり、側面衝突時に、側面衝突の衝撃による乗員の横方向への移動を抑制するようにしたセンターエアバッグ装置を提供することを目的としている。
【課題を解決するための手段】
【００１４】
上記目的を達成するため、本発明に係る第１構成のセンターエアバッグ装置は、横に並んで配置された二つのシートの間の領域付近に格納されており、衝突時にこれらの並んだシートに着座している乗員の間の領域に展開するエアバッグ袋体を備えたことを特徴としている。
上記目的を達成するために、本発明の第２の構成に係るセンターエアバッグ装置は、横に並んで着座した複数の乗員の間の領域付近にそれぞれ格納されており、衝突時に各乗員の間の領域に展開するエアバッグ袋体を備えたことを特徴としている。
エアバッグ袋体は、例えば車室天井内、シートの間に設けられたコンソール内、シートの少なくとも一方の内部に格納されている。
エアバッグ袋体は、好ましくは、展開時に、左右両側の乗員の肩，腰及び膝の間の領域に展開するように形成されている。
エアバッグ袋体は、好ましくは、展開時に、前後に並んだ複数列のシートに着座している乗員の間の領域に展開するように形成されている。
【発明の効果】
【００１５】
上記構成によれば、衝突時に、エアバッグ袋体が横に並んで配置された二つのシートに着座している乗員の間の領域に展開する。これにより、衝突の衝撃によって、これらの乗員に対して側方内側に荷重が加えられたとき、乗員が内側に向かって、即ち隣の乗員に向かって、そして反対側の車室内壁に向かって跳ばされようとしても、乗員間に展開しているエアバッグ袋体により、その移動が抑制される。従って、側面衝突時等の衝突時に、衝突の衝撃により乗員が隣の乗員や反対側の内装部品に衝突してしまうのが防止される。
【００１６】
エアバッグ袋体が、車室天井内やシートの間に設けられたコンソール内、あるいはシートの少なくとも一方の内部に格納されている場合には、エアバッグ袋体の非展開時に、センターエアバッグ装置が邪魔になって、車室内の居住性が損なわれることがない。
【００１７】
エアバッグ袋体が、展開時に、左右両側の乗員の肩，腰及び膝の間の領域に展開するように形成されている場合には、衝突時にエアバッグ袋体が展開したとき、乗員が内側に向かって跳ばされようとしても、乗員間に展開しているエアバッグ袋体により、その移動が抑制されると共に、乗員の身体の一部がシート間のコンソールに衝突することが防止される。
【００１８】
エアバッグ袋体が、展開時に、前後に並んだ複数列のシートに着座している乗員の間の領域に展開するように形成されている場合には、衝突時に、例えば前席及び後席の乗員の間の領域にエアバッグ袋体が展開することにより、例えば前席においても後席においても、各乗員が内側に向かって跳ばされようとしたとき、これらの乗員間に展開しているエアバッグ袋体によりその移動が抑制され得る。
【００１９】
このようにして、本発明によれば、側面衝突時に、並んだシートに着座している乗員の間の領域にエアバッグ袋体を展開することにより、側面衝突の衝撃による乗員の横方向への移動を抑制し、隣の乗員や内装部品への衝突を防止することができる。
【発明を実施するための最良の形態】
【００２０】
［実施の形態１］
以下、図面に示した実施形態に基づいて本発明を詳細に説明する。
図１及び図２は、本発明によるセンターエアバッグ装置の第一の実施形態の構成を示している。図１及び図２において、センターエアバッグ装置１０は、車室天井の横方向中央付近の内部に組み込まれており、下方に向かって横方向中央付近にて左右両側の乗員Ｐ１，Ｐ２の間の領域に展開するエアバッグ袋体１１と、非展開時のエアバッグ袋体１１を隠蔽するカバー１２と、から構成されている。なお、図面では見易くするために、各乗員が着座しているシートを省略している。また、図示の場合、左側（助手席）の乗員Ｐ２の横方向外側には、公知の構成のカーテンシールドエアバッグ装置１３及びサイドエアバッグ装置１４も備えられている。ここで、これらのカーテンシールドエアバッグ装置１３及びサイドエアバッグ装置１４は、図１では助手席側のみ図示されているが、実際には運転席側にも設置される。
【００２１】
エアバッグ袋体１１は、衝突センサー（図示せず）からの検出信号に応じて作動するインフレータ（図示せず）により気体が噴出して膨張し、図１及び図２に示すように、左右両側の乗員Ｐ１，Ｐ２の間の領域に展開する。その際、このエアバッグ袋体１１は、前後方向に関しては、図２に示すように、前席の乗員Ｐ１，Ｐ２そして後席の乗員Ｐ３，Ｐ４の間の領域に展開するように形成されている。カバー１２は、例えば樹脂製であって、エアバッグ袋体１１の非展開時に、車室天井内に格納されたエアバッグ袋体１１等を覆っている。カーテンシールドエアバッグ装置１３及びサイドエアバッグ装置１４は、公知の構成であって、側面衝突等の衝突時には、車室内壁、例えばドア内面に沿って展開する。
【００２２】
本発明の実施形態１に係るセンターエアバッグ装置１０は、以上のように構成されており、通常は、即ちエアバッグ袋体１１の非展開時には、エアバッグ袋体１１は車室天井内に格納されており、カバー１２により隠蔽されている。従って、このときセンターエアバッグ装置１０は車室天井内に格納されると共に、カバー１２で隠蔽されていることで、車室天井の見栄えが損なわれるようなことはない。さらに、カバー１２が車室天井に設けられた天井コンソールと一体化した意匠を有していると、さらにセンターエアバッグ装置１０そしてカバー１２の外観見栄えが向上する。
【００２３】
エアバッグ袋体１１の非展開状態から、例えば図１にて矢印Ｘで示すように、他車（図示せず）が側方から衝突してきたとき、カーテンシールドエアバッグ装置１３及びサイドエアバッグ装置１４が左側（助手席）の乗員の外側、即ち左側にて、車室側壁、例えばドア１５の内面に沿って展開すると共に、センターエアバッグ装置１０のエアバッグ袋体１１が、前席の左右の乗員Ｐ１，Ｐ２の間、そして後席の左右の乗員Ｐ３，Ｐ４の間の領域に展開する。
【００２４】
これにより、例えば他車が側方から矢印Ｘで示すように側面衝突してきたとき、従来と同様に、カーテンシールドエアバッグ装置１３及びサイドエアバッグ装置１４がそれぞれドア１５の内側付近、即ち左側の乗員Ｐ２，Ｐ４の外側領域に展開し、これにより助手席側の乗員Ｐ２，Ｐ４の身体が直接にドア１５に接触しないように保護される。
【００２５】
また、本発明によるセンターエアバッグ装置１０のエアバッグ袋体１１が、前席及び後席の左右の乗員の間の領域に展開することにより、側面衝突された側とは反対側の乗員、即ち運転席側の乗員Ｐ１，Ｐ３が側面衝突の衝撃によって、矢印Ａで示すように衝突側に向かって移動しようとしても、当該乗員Ｐ１，Ｐ３の内側にセンターエアバッグ装置１０のエアバッグ袋体１１が在ることから、その移動が抑制される。従って、当該乗員Ｐ１，Ｐ３が、助手席側のカーテンシールドエアバッグ装置１３とサイドエアバッグ装置１４との間に露出する内装部品や助手席側の乗員Ｐ２，Ｐ４と衝突してしまうことはない。
【００２６】
さらに、側面衝突時に、側面衝突された側の乗員、即ち助手席側の乗員Ｐ２，Ｐ４が、側面衝突の衝撃によって、矢印Ｂで示すように、側面衝突された側とは反対側に向かって移動しようとしても、当該乗員Ｐ２，Ｐ４の内側にセンターエアバッグ装置１０のエアバッグ袋体１１が在ることから、その移動が抑制される。従って、当該乗員Ｐ２，Ｐ４が、運転席側の乗員Ｐ１，Ｐ３と衝突してしまうようなことはない。
【００２７】
このようにして、側面衝突等の衝突時に、センターエアバッグ装置１０のエアバッグ袋体１１が、運転席側及び助手席側のシートに着座している乗員Ｐ１，Ｐ２，Ｐ３，Ｐ４の間の領域に展開することで、側面衝突等の衝撃による乗員Ｐ１〜Ｐ４の横方向への移動が抑制されるので、この衝撃によって当該乗員が隣の乗員や内装部品に衝突することが効果的に防止され、乗員の安全性がより一層向上する。
【００２８】
［実施の形態２］
図３は本発明によるセンターエアバッグ装置の第二の実施形態の構成を示している。図３において、センターエアバッグ装置２０は、左右のシートの内部にそれぞれ組み込まれており、横方向中央付近にて左右両側の乗員Ｐ１，Ｐ２の間の領域に展開するエアバッグ袋体２１，２２を含んでいる。なお、図３では、各乗員Ｐ１，Ｐ２が着座しているシートＳ１，Ｓ２を鎖線で示している。
【００２９】
エアバッグ袋体２１，２２は、衝突センサー（図示せず）からの検出信号に応じて作動するインフレータ（図示せず）により、気体が噴出して膨張し、図３に示すように、左右両側の乗員Ｐ１，Ｐ２の間の領域に展開する。
【００３０】
その際、このエアバッグ袋体２１，２２は、前後方向に関しては、図１に示したセンターエアバッグ装置１０におけるエアバッグ袋体１１と同様に、前席の乗員Ｐ１，Ｐ２そして後席の乗員Ｐ３，Ｐ４の間の領域に展開してもよい。また前席の乗員Ｐ１，Ｐ２の間の領域のみに展開してもよい。この場合には、後席についても、そのシートに同様の構成のセンターエアバッグ装置２０が設けられればよい。
【００３１】
この実施形態２においては、カバー１２が設けられておらず、エアバッグ袋体２１，２２は、それぞれシート内部に格納されてシート表皮により覆われるので、外観見栄えが損なわれるようなことはない。また、展開時には、エアバッグ袋体２１，２２が、膨張によりシート表皮を破って展開する。
【００３２】
このような構成のセンターエアバッグ装置２０によれば、図１に示したセンターエアバッグ装置１０と同様に作用すると共に、天井にセンターエアバッグ装置のカバーが露出しないので、外観見栄えを考慮せずに設置することが可能である。
【００３３】
［実施の形態３］
図４は本発明によるセンターエアバッグ装置３０の第三の実施形態の構成を示している。図４において、センターエアバッグ装置３０は、図１に示したセンターエアバッグ装置１０と図２に示したセンターエアバッグ装置２０を組み合わせた構成、即ち、エアバッグ袋体１１，２１，２２を備えた構成になっている。
【００３４】
このような構成のセンターエアバッグ装置３０によれば、側面衝突時に、エアバッグ袋体１１が、上方から前席及び後席の左右の乗員の間の領域に展開すると共に、エアバッグ袋体２１，２２がシート内部から同様に前席及び後席の左右の乗員の間の領域に展開する。これにより、側面衝突等の衝突時に、センターエアバッグ装置３０のエアバッグ袋体１１，２１，２２が、それぞれ運転席側及び助手席側のシートに着座している乗員Ｐ１，Ｐ２，Ｐ３，Ｐ４の間の領域に展開することで、側面衝突等の衝撃による乗員Ｐ１〜Ｐ４の横方向への移動が抑制されるので、この衝撃によって当該乗員が隣の乗員や内装部品に衝突することが効果的に防止され、乗員の安全性がより一層向上する。
【００３５】
［実施の形態４］
図５は本発明によるセンターエアバッグ装置の第四の実施形態の構成を示している。図５において、センターエアバッグ装置４０は、左右のシートの間に設けられた所謂センターコンソール内部に組み込まれており、このセンターコンソール両側からそれぞれ上方に向かって横方向中央付近にて左右両側の乗員Ｐ１，Ｐ２の間の領域に展開するエアバッグ袋体４１，４２を含んでいる。図示の場合、左側（助手席）の乗員Ｐ２の横方向外側には、図１に示した実施形態の場合と同様に、公知の構成のカーテンシールドエアバッグ装置１３及びサイドエアバッグ装置１４も備えられている。
【００３６】
エアバッグ袋体４１，４２は、非展開時にはセンターコンソール４３の内部に格納されており、衝突センサー（図示せず）からの検出信号に応じて作動するインフレータ（図示せず）により、気体が噴出して膨張し、図５に示すように左右両側の乗員Ｐ１，Ｐ２の間の領域に展開する。その際、このエアバッグ袋体４１，４２は、乗員Ｐ１，Ｐ２が着座しているシートＳに関して、図６に示すように、乗員Ｐ１，Ｐ２の肩，腰及び膝の間の領域に展開するように形成されていると共に、特に展開時に肩及び膝に対応する部分が他の部分よりも高い張りを有している。
【００３７】
このような構成のセンターエアバッグ装置４０によれば、通常は、即ちエアバッグ袋体４１，４２の非展開時には、エアバッグ袋体４１，４２はセンターコンソール４３内に格納されている。この状態から、例えば図５にて矢印Ｘで示すように、他車（図示せず）が側方から衝突してきたとき、カーテンシールドエアバッグ装置１３及びサイドエアバッグ装置１４が左側（助手席）の乗員Ｐ２の外側、即ち左側にて、車室側壁、例えばドア１５の内面に沿って展開すると共に、センターエアバッグ装置４０のエアバッグ袋体４１，４２が、前席の左右の乗員Ｐ１，Ｐ２の間の領域に展開する。
【００３８】
これにより、例えば他車が側方から矢印Ｘで示すように側面衝突してきたとき、従来と同様に、カーテンシールドエアバッグ装置１３及びサイドエアバッグ装置１４がそれぞれドア１５の内側付近、即ち左側の乗員Ｐ２の外側領域に展開することにより、助手席側の乗員Ｐ３の身体が直接にドア１５に接触しないように保護され得る。
【００３９】
また、エアバッグ袋体４１，４２が、前席の左右の乗員の間の領域に展開することにより、側面衝突された側とは反対側の乗員、即ち運転席側の乗員Ｐ１が側面衝突の衝撃によって衝突側に向かって移動しようとしても、当該乗員Ｐ１の内側にセンターエアバッグ装置４０のエアバッグ袋体４１が在ることから、その移動が抑制される。従って、当該乗員Ｐ１が、助手席側のカーテンシールドエアバッグ装置１３とサイドエアバッグ装置１４との間に露出する内装部品や助手席側の乗員Ｐ２と衝突してしまうようなことはない。
【００４０】
さらに、側面衝突時に、側面衝突された側の乗員、即ち助手席側の乗員Ｐ２が、側面衝突の衝撃によって側面衝突された側とは反対側に向かって移動しようとしても、当該乗員Ｐ２の内側にセンターエアバッグ装置４０のエアバッグ袋体４２１が在ることから、その移動が抑制される。従って、当該乗員Ｐ２が、運転席側の乗員Ｐ１，Ｐ３と衝突してしまうようなことはない。
【００４１】
このようにして、側面衝突等の衝突時にセンターエアバッグ装置４０のエアバッグ袋体４１，４２が、運転席側及び助手席側のシートに着座している乗員Ｐ１，Ｐ２の間の領域に展開することにより、側面衝突等の衝撃による乗員Ｐ１，Ｐ２の横方向への移動が抑制されるので、この衝撃によって当該乗員が隣の乗員や内装部品に衝突することが効果的に防止され、乗員の安全性がより一層向上する。
さらに、エアバッグ袋体４１，４２が、乗員Ｐ１，Ｐ２の肩，腰及び膝の領域に展開するので、乗員Ｐ１，Ｐ２が横方向に荷重を受けて、センターコンソール４３側に移動しようとしたとき、エアバッグ袋体４１，４２により支持されるので、乗員Ｐ１，Ｐ２がセンターコンソール４３に当たってしまうようなことがない。
その際、エアバッグ袋体４１，４２の展開時に乗員Ｐ１，Ｐ２の肩及び膝に対応する部分が、他の部分より高い張りを有していることにより、乗員Ｐ１，Ｐ２の肩及び膝が、エアバッグ袋体４１，４２によって確実に支持され得る。
【００４２】
本発明はその趣旨を逸脱しない範囲において様々な形態で実施することができる。例えば、上述した実施形態では、主として前席、即ち運転席及び助手席の乗員の間に、エアバッグ袋体１１，２１，２２または４１，４２を展開させる場合について説明したが、これに限らず、後席、あるいは三列等の複数列のシートを備える場合については各列の座席に関して、また３人以上の乗員が横に並んで着座するようなベンチシート又は三つ以上の座席が左右に密着して並んで配置されている場合には、各座席の間の領域に展開するようなエアバッグ袋体を備えるように構成することができる。なお、ベンチシートなどに着座した複数（例えば３人）の乗員の間の領域にそれぞれ展開するエアバッグ袋体は、車室天井に格納されている。
【００４３】
また、上述した実施形態においては、所謂乗用車について説明したが、これに限らず、例えばバスやトラック等の大型自動車においても、本発明によるセンターエアバッグ装置を備えることが可能である。
【図面の簡単な説明】
【００４４】
【図１】本発明によるセンターエアバッグ装置の第一の実施形態の構成を示す概略背面図である。
【図２】図１のセンターエアバッグ装置の側面図である。
【図３】本発明によるセンターエアバッグ装置の第二の実施形態の構成を示す概略背面図である。
【図４】本発明によるセンターエアバッグ装置の第三の実施形態の構成を示す概略背面図である。
【図５】本発明によるセンターエアバッグ装置の第四の実施形態の構成を示す概略背面図である。
【図６】図５のセンターエアバッグ装置の側面図である。
【図７】従来のエアバッグ装置の一例の構成を示す概略背面図である。
【図８】図７のエアバッグ装置における側面衝突時の乗員の移動を示す説明図である。
【符号の説明】
【００４５】
１０    センターエアバッグ装置
１１    エアバッグ袋体
１２    カバー
１３    カーテンシールドエアバッグ装置
１４    サイドエアバッグ装置
２０    センターエアバッグ装置
２１，２２    エアバッグ袋体
３０    センターエアバッグ装置
４０    センターエアバッグ装置
４１，４２    エアバッグ袋体
４３    センターコンソール
【図１】
2008114713.tif 000003
【図２】
2008114713.tif 000004
【図３】
2008114713.tif 000005
【図４】
2008114713.tif 000006
【図５】
2008114713.tif 000007
【図６】
2008114713.tif 000008
【図７】
2008114713.tif 000009
【図８】
2008114713.tif 000010